(57)【要約】      （修正有）【課題】監視制御対象の設備機器と中央監視制御装置との間で伝送を行う信号伝送路を、効率良く高い信頼性で冗長化することが可能な監視制御システムおよびこれに利用する信号伝送路冗長化方法を提供する。【解決手段】監視制御システム１は、監視制御対象の複数の設備機器６１、６２の監視制御処理を行う中央監視制御装置１０−１、１０−２との間に構築された主伝送系統および予備伝送系統の２つの伝送経路と、主伝送系統内の信号伝送装置のいずれかと予備伝送系統内の信号伝送装置のいずれかとの間に設けられた非常時接続伝送媒体７１とを備える。そして中央監視制御装置１０−１、１０−２は、主伝送系統内の信号伝送装置のいずれかおよび予備伝送系統内の信号伝送装置のいずれかに異常が発生したときに、正常な主伝送系統内の信号伝送装置のいずれかと正常な予備伝送系統内の信号伝送装置のいずれかとの間の非常時接続伝送媒体７１を接続状態とする。【選択図】図１
2012147227.tif 000002
【特許請求の範囲】
【請求項１】
監視制御対象の複数の設備機器にそれぞれ接続された複数の第１系統信号伝送装置と、前記複数の設備機器の監視制御処理を行う中央監視制御装置に接続された第１系統信号伝送装置とが、リング状に接続されて構成された主伝送系統と、
前記複数の設備機器にそれぞれ接続された複数の第２系統信号伝送装置と、前記中央監視制御装置に接続された第２系統信号伝送装置とが、リング状に接続されて構成された予備伝送系統と、
前記第１系統信号伝送装置のいずれかと、前記第２系統信号伝送装置のいずれかとの間に設けられた非常時接続伝送媒体と、
を備え、
前記中央監視制御装置は、前記第１系統信号伝送装置のいずれかおよび前記第２系統信号伝送装置のいずれかに異常が発生したときに、正常な前記第１系統信号伝送装置のいずれかと正常な前記第２系統信号伝送装置のいずれかとの間の前記非常時接続伝送媒体を接続状態とする
ことを特徴とする監視制御システム。
【請求項２】
前記中央監視制御装置は、異常が発生した前記第１系統信号伝送装置と前記第２系統信号伝送装置との組み合わせごとの、接続状態にする前記非常時接続伝送媒体を示す非常時接続情報を予め記憶し、
前記第１系統信号伝送装置のいずれかおよび前記第２系統信号伝送装置のいずれかに異常が発生したときに、前記非常時接続情報に基づいて選択された非常時接続伝送媒体を、接続状態とする
ことを特徴とする請求項１に記載の監視制御システム。
【請求項３】
監視制御対象の複数の設備機器にそれぞれ接続された複数の第１系統信号伝送装置と、前記複数の設備機器の監視制御処理を行う中央監視制御装置に接続された第１系統信号伝送装置とが、リング状に接続されて構成された主伝送系統と、
前記複数の設備機器にそれぞれ接続された複数の第２系統信号伝送装置と、前記中央監視制御装置に接続された第２系統信号伝送装置とが、リング状に接続されて構成された予備伝送系統と、
前記第１系統信号伝送装置のいずれかと、前記第２系統信号伝送装置のいずれかとの間に設けられた非常時接続伝送媒体と、
を備えた監視制御システムが、
前記第１系統信号伝送装置のいずれかおよび前記第２系統信号伝送装置のいずれかに異常が発生したときに、正常な前記第１系統信号伝送装置のいずれかと正常な前記第２系統信号伝送装置のいずれかとの間の前記非常時接続伝送媒体を接続状態とする
ことを特徴とする信号伝送路冗長化方法。
【発明の詳細な説明】
【技術分野】
【０００１】
本発明の実施形態は、監視制御システムおよびこれに利用する信号伝送路冗長化方法に関する。
【背景技術】
【０００２】
従来、ビルや工場等の大型の施設では、電力、空調、照明などの各設備機器を、中央の監視制御装置で一括して監視および制御する監視制御システムが普及している。この監視制御システムでは、例えば各設備機器から出力された動作状態信号が、設備機器ごとに設置された信号入出力装置により中央監視制御装置に送信され、この動作状態信号に基づいて生成された監視情報が中央監視制御装置に出力されることにより、オペレータにより各設備機器の状態が監視される。また監視されることによりオペレータによりいずれかの設備機器の動作を制御するための操作が中央監視制御装置から入力されると、この操作により生成された制御信号が信号入出力装置により各設備に入力される。また、いずれかの設備機器から故障通知信号が出力されると、この故障通知信号が信号入出力装置により中央監視制御装置に送信され、中央監視制御装置において警報発令処理が行われる。
【０００３】
このような中央監視制御装置を用いた監視制御システムを、特高受電部や半導体製造ラインにおける空調機など、施設運用上重要な機器の安定稼動が不可欠な設備を有する施設で用いる場合は、停電による施設運用上の損害や電機機器（発電機、エレベータなど）のトラブル、火災事故の発生等を防ぐため、高い信頼性および確実性を実現することが要求される。
【０００４】
そのため、上記のような重要設備を有する施設では、監視制御を行う装置を冗長化し、いずれかの装置で異常が発生した場合でも監視制御処理が続行可能になるように構成している。
【０００５】
また昨今では建物の高層化やテナント数の増加に伴い、一般ビル等の設備でも高い信頼性を要するケースが増加し冗長化の気運が高まっており、確実かつ簡易に実現するための技術が求められている。
【０００６】
上述したような監視制御システムにおいて、冗長化の対象となる装置としては、(1)当該システムの上位に設置され、オペレータが監視および操作する中央監視制御装置、(2)中央監視制御装置の下位に設置され、プロセス管理機能および信号処理機能を有する信号処理装置、(3)信号処理装置のさらに下位に設置され、監視制御対象の各機器に対応して信号の入出力を行う機能を有する信号入出力装置、および、(4)これら(1)〜(3)の装置にそれぞれ接続され、(1)中央監視制御装置と(2)信号処理装置との間、(2)信号処理装置と(3)信号入出力装置との間を、信号伝送装置を用いてそれぞれ階層毎に接続して信号の伝送を行う信号伝送路、がある。
【０００７】
このうち、(4)の信号伝送路は、信号の伝送を中継する信号伝送装置に異常が発生すると全設備の監視制御が不能になるおそれがあることから、図３に示す監視制御システム１００ａのように、(1)の中央監視制御装置１１１で取得されたデータを格納するデータサーバ１５１に接続された信号伝送装置１４１と、複数の設備機器１６１〜１６３等にそれぞれ信号入出力装置１３１〜１３３等、信号処理装置１２１〜１２３を介して接続された信号伝送装置１４２〜１４４とをリング状に接続し、この中の１台の信号伝送装置に異常が発生したときにも他の信号伝送装置においては信号処理装置、入出力装置を介して設備機器との信号の伝送が継続できるようにして冗長化することが一般的であった。
【０００８】
しかし、このように複数の信号伝送装置１４１〜１４４がリング状に接続された場合、例えば中央監視制御装置１１１に繋がる信号伝送装置１４１に異常が発生すると全ての設備機器の監視制御が不能になってしまい、１台の信号伝送装置１４１の異常による影響が大きいという問題があった。
【０００９】
そこで、図４に示す監視制御システム１００ｂのように、(1)中央監視制御装置、(2)信号処理装置、(3)信号入出力装置、および(4)信号伝送路をすべて冗長化し、この中のいずれの装置に異常が発生したときにも中央監視制御装置による監視制御処理が継続可能になるように構成することが考えられる。
【００１０】
この図４に示す監視制御システム１００ｂでは、冗長化された２台の中央監視制御装置１０１および１０２と、これらの中央監視制御装置１０１、１０２で取得されたデータをそれぞれ格納するデータサーバ５０１および５０２とを備えており、これらの装置と監視制御対象の設備機器６０１および６０２との間の、リング状に接続された信号伝送装置と、信号処理装置と、信号入出力装置とを、太線で示す主系統（Ａ伝送系統）と細線で示す予備系統（Ｂ伝送系統）の２系統で構成することにより信号伝送路を冗長化している。
【００１１】
図４においては、Ａ伝送系統では、中央監視制御装置１０１に接続されたＡ系信号伝送装置４１１と、中央監視制御装置１０２に接続されたＡ系信号伝送装置４１２と、設備機器６０１にＡ系信号入出力装置３１１、Ａ系信号伝送装置４１５、およびＡ系信号処理装置２１１を介して接続されたＡ系信号伝送装置４１３と、設備機器６０２にＡ系信号入出力装置３１２、Ａ系信号伝送装置４１６、およびＡ系信号処理装置２１２を介して接続されたＡ系信号伝送装置４１４とがリング状に接続されている。
【００１２】
また、Ｂ伝送系統では、中央監視制御装置１０１に接続されたＢ系信号伝送装置４２１と、中央監視制御装置１０２に接続されたＢ系信号伝送装置４２２と、設備機器６０１にＢ系信号入出力装置３２１、Ｂ系信号伝送装置４２５、およびＢ系信号処理装置２２１を介して接続されたＢ系信号伝送装置４２３と、設備機器６０２にＢ系信号入出力装置３２２、Ｂ系信号伝送装置４２６、およびＢ系信号処理装置２２２を介して接続されたＢ系信号伝送装置４２４とがリング状に接続されている。
【００１３】
このようにＡ伝送系統、Ｂ伝送系統の２系統に信号伝送路が冗長化されて監視制御システム１００ｂが構築されることにより、通常時は主伝送系統であるＡ伝送系統により信号の伝送が行われ、Ａ伝送系統のいずれかに異常が発生すると中央監視制御装置１０１、１０２およびデータサーバ５０１、５０２によりこれが検知され、予備伝送系統であるＢ伝送系統に切り替えられて信号の伝送が行われる。
【００１４】
この構成により、中央監視制御装置１０１、１０２に接続された信号伝送装置４１１、４１２に異常が発生した場合にも、伝送系統が切り替えられることにより設備機器６０１、６０２の監視制御を継続して行うことが可能になる。
【先行技術文献】
【特許文献】
【００１５】
【特許文献１】特開２００９−１５７９４４号公報
【発明の概要】
【発明が解決しようとする課題】
【００１６】
しかし、上述したようにリング状に接続された信号伝送装置を含む各装置を２系統で構成して冗長化すると、主伝送系統であるＡ伝送系統の信号伝送装置のうち１台でも異常が発生すると伝送系統がＢ伝送系統に切り替わるため、Ａ伝送系統の他のほとんどの装置が正常であるにも関わらずその資源を活用することができず非効率的であるという問題があった。
【００１７】
またさらに、Ａ伝送系統の中の信号伝送装置に異常が発生し伝送系統がＢ伝送系統に切り替わった後、Ａ伝送系統の信号伝送装置のメンテナンス中にＢ伝送系統の中の信号伝送装置に異常が発生した場合には、それぞれの伝送系統のほとんどの他装置が正常であるにも関わらずシステム全体の稼動が停止してしまい、非効率的であるとともに信頼性が低下するという問題があった。
【００１８】
本発明は上記事情に鑑みてなされたものであり、監視制御対象の設備機器と中央監視制御装置との間で伝送を行う信号伝送路を、効率良く高い信頼性で冗長化することが可能な監視制御システムおよびこれに利用する信号伝送路冗長化方法を提供することを目的とする。
【課題を解決するための手段】
【００１９】
上記目的を達成するための実施形態によれば、監視制御システムは、監視制御対象の複数の設備機器とこれらの設備機器の監視制御処理を行う中央監視制御装置との間に構築された主伝送系統および予備伝送系統の２つの伝送経路と、主伝送系統内の信号伝送装置のいずれかと予備伝送系統内の信号伝送装置のいずれかとの間に設けられた非常時接続伝送媒体とを備える。そして中央監視制御装置は、主伝送系統内の信号伝送装置のいずれかおよび予備伝送系統内の信号伝送装置のいずれかに異常が発生したときに、正常な主伝送系統内の信号伝送装置のいずれかと正常な予備伝送系統内の信号伝送装置のいずれかとの間の非常時接続伝送媒体を接続状態とする。
【図面の簡単な説明】
【００２０】
【図１】一実施形態による監視制御システムの構成を示す構成図である。
【図２】一実施形態による監視制御システムの動作を示すフローチャートである。
【図３】従来の監視制御システムの構成を示す構成図である。
【図４】従来の他の監視制御システムの構成を示す構成図である。
【発明を実施するための形態】
【００２１】
〈一実施形態による監視制御システムの構成〉
本発明の一実施形態による監視制御システムの構成を、図１を参照して説明する。
【００２２】
本実施形態による監視制御システム１は、設備機器６１および６２の監視制御を行う、冗長化された２台の中央監視制御装置１０−１および１０−２と、これらの中央監視制御装置１０−１、１０−２で取得されたデータをそれぞれ格納するデータサーバ５０−１および５０−２とを備えており、これらの装置と監視制御対象の設備機器６１および６２との間の、リング状に接続された複数の信号伝送装置と、信号処理装置と、信号入出力装置とを、太線で示す主伝送系統（Ａ伝送系統）と細線で示す予備伝送系統（Ｂ伝送系統）の２系統で構成することにより信号伝送路が冗長化され伝送システムが構築されている。この信号伝送装置は、例えばスイッチングハブなどの中継装置である。
【００２３】
Ａ伝送系統では、中央監視制御装置１０−１に接続されたＡ系信号伝送装置４１−１と、中央監視制御装置１０−２に接続されたＡ系信号伝送装置４１−２と、設備機器６１にＡ系信号入出力装置３１−１、Ａ系信号伝送装置４１−５、およびＡ系信号処理装置２１−１を介して接続されたＡ系信号伝送装置４１−３と、設備機器６２にＡ系信号入出力装置３１−２、Ａ系信号伝送装置４１−６、およびＡ系信号処理装置２１−２を介して接続されたＡ系信号伝送装置４１−４とがリング状に接続されている。これらのＡ伝送系統内の信号伝送装置４１−１〜４１−４を、第１系統信号伝送装置とする。
【００２４】
また、Ｂ伝送系統では、中央監視制御装置１０−１に接続されたＢ系信号伝送装置４２−１と、中央監視制御装置１０−２に接続されたＢ系信号伝送装置４２−２と、設備機器６１にＢ系信号入出力装置３２−１、Ｂ系信号伝送装置４２−５、およびＢ系信号処理装置２２−１を介して接続されたＢ系信号伝送装置４２−３と、設備機器６２にＢ系信号入出力装置３２−２、Ｂ系信号伝送装置４２−６、およびＢ系信号処理装置２２−２を介して接続されたＢ系信号伝送装置４２−４とがリング状に接続されている。これらのＢ伝送系統内の信号伝送装置４１−１〜４１−４を、第２系統信号伝送装置とする。
【００２５】
また、Ａ伝送系統のＡ系信号伝送装置４１−１とＢ伝送系統のＢ系信号伝送装置４２−１との間には非常時接続伝送媒体７１が設けられ、Ａ伝送系統のＡ系信号伝送装置４１−２とＢ伝送系統のＢ系信号伝送装置４２−２との間には非常時接続伝送媒体７２が設けられ、Ａ伝送系統のＡ系信号伝送装置４１−３とＢ伝送系統のＢ系信号伝送装置４２−３との間には非常時接続伝送媒体７３が設けられ、Ａ伝送系統のＡ系信号伝送装置４１−４とＢ伝送系統のＢ系信号伝送装置４２−４との間には非常時接続伝送媒体７４が設けられている。
【００２６】
中央監視制御装置１０−１、１０−２は、設備機器６１および６２の監視制御処理を行うものであり、この監視制御処理を行う際に、通常時はＡ伝送系統を利用して設備機器６１および６２との間で監視制御信号や動作状態信号の伝送を行い、Ａ系伝送系統の中のＡ系信号伝送装置４１−１〜４１−４のいずれかに異常が発生したときにはＢ伝送系統に切り替えて監視制御信号や動作状態信号の伝送を行い、Ａ系伝送系統の中のＡ系信号伝送装置４１−１〜４１−４のいずれかおよびＢ系伝送系統の中のＢ系信号伝送装置４２−１〜４２−２のいずれかに異常が発生したときには正常なＡ系伝送系統のＡ系信号伝送装置のいずれかと正常なＢ系伝送系統のＢ系信号伝送装置のいずれかとの間の非常時接続伝送媒体を接続状態にして新たな伝送経路を構築して監視制御信号や動作状態信号の伝送を行う。
【００２７】
信号処理装置２１−１、２１−２、２２−１、２２−２は、中央監視制御装置１０−１、１０−２から送信される監視制御信号を設備機器６１、６２に送信するための処理を行う。また、設備機器６１、６２から送信される動作状態信号を中央監視制御装置１０−１、１０−２に送信するための処理を行う。
【００２８】
信号入出力装置３１−１、３１−２、３２−１、３２−２は、信号処理装置２１−１、２１−２、２２−１、２２−２と設備機器６１、６２との間の監視制御信号の伝送の中継を行う。
【００２９】
〈一実施形態による監視制御システムの動作〉
次に、本実施形態における監視制御システムの動作について説明する。
【００３０】
本実施形態において、中央監視制御装置１０−１および１０−２には、Ａ系伝送系統の中のどのＡ系信号伝送装置とＢ系伝送系統の中のどのＢ系信号伝送装置との組み合わせで異常が発生したときに、どの非常時接続伝送媒体を接続状態にするかを示す非常時接続情報が記憶されている。
【００３１】
例えば、Ａ系伝送系統のＡ系信号伝送装置４１−１または４１−３と、Ｂ系伝送系統のＢ系信号伝送装置４２−４とに異常が発生したときには非常時接続伝送媒体７２を接続状態にし、Ａ系伝送系統のＡ系信号伝送装置４１−２または４１−４と、Ｂ系伝送系統のＢ系信号伝送装置４２−３とに異常が発生したときには非常時接続媒体７１を接続状態にすることが記憶されている。
【００３２】
この非常時接続情報が中央監視制御装置１０−１および１０−２に記憶されている状態で監視制御システム１が稼動すると、中央監視制御装置１０−１、１０−２のいずれかにより設備機器６１、６２の監視制御処理が開始される。ここでは、中央監視制御装置１０−１により監視制御処理が行われるものとし、所定時間間隔で中央監視制御装置１０−１の情報が中央監視制御装置１０−２に送信されることで、中央監視制御装置１０−１の情報と中央監視制御装置１０−２の情報とは同期がとられ冗長化される。
【００３３】
中央監視制御装置１０−１で実行される監視制御処理の動作を、図２のフローチャートに示す。
【００３４】
監視制御処理の開始時には、中央監視制御装置１０−１から設備機器６１および６２に送信される監視制御信号と、設備機器６１および６２から中央監視制御装置１０−１に送信される動作状態信号はＡ系伝送系統が利用されて伝送される（Ｓ１）。
【００３５】
例えば、中央監視制御装置１０−１から設備機器６１に送信される監視制御信号は、中央監視制御装置１０−１→Ａ系信号伝送装置４１−１→Ａ系信号伝送装置４１−３→Ａ系信号処理装置２１−１→Ａ系伝送装置４１−５→Ａ系信号入出力装置３１−１→設備機器６１の経路で伝送され、設備機器６１から中央監視制御装置１０−１に送信される動作制御信号は、この逆の経路で伝送される。中央監視制御装置１０−１で生成された監視制御信号および受信された動作状態信号は、データサーバ５０−１に記憶される。また、中央監視制御装置１０−１の情報およびデータサーバ５０−１の情報は所定時間間隔でそれぞれ中央監視制御装置１０−２およびデータサーバ５０−２に送信されることで、同期がとられる。
【００３６】
また、中央監視制御装置１０−１から設備機器６２に送信される監視制御信号は、中央監視制御装置１０−１→Ａ系信号伝送装置４１−１→Ａ系信号伝送装置４１−２→Ａ系信号伝送装置４１−４→Ａ系信号処理装置２１−２→Ａ系伝送装置４１−６→Ａ系信号入出力装置３１−２→設備機器６２の経路で伝送され、設備機器６２から中央監視制御装置１０−１に送信される動作制御信号は、この逆の経路で伝送される。ここで中央監視制御装置１０−１で生成された監視制御信号および受信された動作状態信号も、データサーバ５０−１に記憶され、さらに中央監視制御装置１０−２およびデータサーバ５０−２に送信されることで、同期がとられる。
【００３７】
この監視制御処理中に、Ａ系信号伝送装置４１−１〜４１−４のいずれか、例えばＡ系信号伝送装置４１−３で異常が発生するとこれが中央監視制御装置１０−１で検知され（Ｓ２の「YES」）、監視制御信号および動作状態信号の伝送がＢ系伝送系統を利用するように切り替えられる（Ｓ３）。
【００３８】
例えば、中央監視制御装置１０−１から設備機器６１に送信される監視制御信号は、中央監視制御装置１０−１→Ｂ系信号伝送装置４２−１→Ｂ系信号伝送装置４２−３→Ｂ系信号処理装置２２−１→Ｂ系信号伝送装置４２−５→Ｂ系信号入出力装置３２−１→設備機器６１の経路で伝送され、設備機器６１から中央監視制御装置１０−１に送信される動作制御信号は、この逆の経路で伝送されるように切り替えられる。ここで中央監視制御装置１０−１で生成された監視制御信号および受信された動作状態信号も、データサーバ５０−１に記憶され、さらに中央監視制御装置１０−２およびデータサーバ５０−２に送信されることで、同期がとられる。
【００３９】
また、中央監視制御装置１０−１から設備機器６２に送信される監視制御信号は、中央監視制御装置１０−１→Ｂ系信号伝送装置４２−１→Ｂ系信号伝送装置４２−２→Ｂ系信号伝送装置４２−４→Ｂ系信号処理装置２２−２→Ｂ系信号伝送装置４２−６→Ｂ系信号入出力装置３２−２→設備機器６２の経路で伝送され、設備機器６２から中央監視制御装置１０−１に送信される動作制御信号は、この逆の経路で伝送されるように切り替えられる。ここで中央監視制御装置１０−１で生成された監視制御信号および受信された動作状態信号も、データサーバ５０−１に記憶され、さらに中央監視制御装置１０−２およびデータサーバ５０−２に送信されることで、同期がとられる。
【００４０】
次に、Ａ系伝送系統の中のＡ系信号伝送装置４１−１〜４１−４のいずれかで発生した異常に対応するメンテナンス中にさらに、Ｂ系伝送系統の中のＢ系信号伝送装置４２−１〜４２−２のいずれかで異常が発生するとこれが中央監視制御装置１０−１で検知され（Ｓ４の「YES」）、予め記憶された非常時接続情報に従って必要な非常時接続伝送媒体が接続状態にされる（Ｓ５）。
【００４１】
例えば、ステップＳ３においてＡ系信号伝送装置４１−３に異常が発生し、この異常に対応するメンテナンス中にＢ系信号伝送装置４２−４に異常が発生すると、中央監視制御装置１０−１と設備機器６２との間の監視制御信号および動作状態信号の伝送が不能な状態となってしまう。
【００４２】
そのため、中央監視制御装置１０−１に記憶された非常時接続情報に基づいて選択された非常時接続伝送媒体７２が接続状態にされることで、Ａ系信号伝送装置４１−２とＢ系信号伝送装置４２−２との間に新たな伝送経路が構築され、これが利用されて中央監視制御装置１０−１と設備機器６２との間の監視制御信号および動作状態信号の伝送が可能になる（Ｓ６）。
【００４３】
つまり、中央監視制御装置１０−１から設備機器６２に送信される監視制御信号は、新たな伝送経路を利用して、中央監視制御装置１０−１→Ｂ系信号伝送装置４２−１→Ｂ系信号伝送装置４２−２→Ａ系信号伝送装置４１−２→Ａ系信号伝送装置４１−４→Ａ系信号処理装置２１−２→Ａ系伝送装置４１−６→Ａ系信号入出力装置３１−２→設備機器６２の経路で伝送され、設備機器６２から中央監視制御装置１０−１に送信される動作制御信号は、この逆の経路で伝送されるように切り替えられる。ここで中央監視制御装置１０−１で生成された監視制御信号および受信された動作状態信号も、データサーバ５０−１に記憶され、さらに中央監視制御装置１０−２およびデータサーバ５０−２に送信されることで、同期がとられる。
【００４４】
以上の本実施形態によれば、Ａ系伝送系統の中のＡ系信号伝送装置４１−１〜４１−４のいずれかおよびＢ系伝送系統の中のＢ系信号伝送装置４２−１〜４２−２のいずれかに異常が発生したときに、正常なＡ系伝送系統のＡ系信号伝送装置のいずれかと正常なＢ系伝送系統のＢ系信号伝送装置のいずれかとの間の非常時接続伝送媒体を接続状態として新たな伝送経路を構築して監視制御信号や動作状態信号の伝送を行うことにより、効率良く高い信頼性で信号伝送路を冗長化することが可能になる。
【００４５】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４６】
１…監視制御システム
１０−１、１０−２…中央監視制御装置
２１−１、２１−２…Ａ系信号処理装置
２２−１、２２−２…Ｂ系信号処理装置
３１−１、３１−２…Ａ系信号入出力装置
３２−１、３２−２…Ｂ系信号入出力装置
４１−１〜４１−６…Ａ系信号伝送装置
４２−１〜４２−６…Ｂ系信号伝送装置
５０−１、５０−２…データサーバ
６１、６２…設備機器
７１〜７４…非常時接続伝送媒体
【図１】
2012147227.tif 000003
【図２】
2012147227.tif 000004
【図３】
2012147227.tif 000005
【図４】
2012147227.tif 000006